(57)【要約】【課題】頭髪への装着が容易であり、かつ、頭髪の間から脱落しにくい上、長期間に亘って装着された場合でも頭髪を傷めることのない実用的な装飾用髪止め具を提供する。【解決手段】装飾用髪止め具１は、金属製の針金を所定の間隔で折り曲げ形成してなる中央髪把持線条４ａ，４ａおよび側部髪把持線条４ｂ，４ｂを基端側で連結することによって髪保持体２が形成されている。そして、一対の髪把持線条４ａ，４ａ同士の間隔、および、髪把持線条４ａと髪把持線条４ｂとの間隔が、基端から先端にかけて次第に幅狭になっている。また、髪保持体２の基端には、装飾体５，５・・を鏤めた装飾部３が設けられている。【選択図】図１
2008048832.tif 000002
【特許請求の範囲】
【請求項１】
頭髪を纏めた状態で保持するための髪保持体と、髪保持体の基端に固着された装飾部とを有する装飾用髪止め具であって、
前記髪保持体が、金属製の針金を所定の間隔で折り曲げ形成してなる複数の髪把持線条を基端側で連結したものであり、
隣接する髪把持線条同士の間隔が、基端から先端にかけて次第に幅狭になっていることを特徴とする装飾用髪止め具。
【請求項２】
各髪把持線条が外側に突出するように円弧状に屈曲しているとともに、外側に位置した髪把持線条の方が、内側に位置した髪把持線条よりも下側に位置していることを特徴とする請求項１に記載の装飾用髪止め具。
【請求項３】
髪保持体に偶数本の髪把持線条が設けられており、各髪把持線条の先端が略同一面内において外向きに折り曲げられていることを特徴とする請求項１、または請求項２に記載の装飾用髪止め具。
【請求項４】
髪保持体が各髪把持線条同士を溶接することによって形成されていることを特徴とする請求項１〜３のいずれかに記載の装飾用髪止め具。
【発明の詳細な説明】
【技術分野】
【０００１】
本発明は、頭髪を纏めた状態で保持するための髪止め具に関するものであり、詳しくは、頭髪を装飾するための装飾部分を有する装飾用髪止め具に関するものである。
【背景技術】
【０００２】
従来の装飾用髪止め具としては、頭髪を任意の形状に纏めた状態で保持するための髪保持部の基端に装飾部材を設けたものが知られている。また、従来の装飾用髪止め具の中には、特許文献１の如く、複数の棒状の櫛歯を平行に並べることによって髪保持部を形成したものが多いが、纏めた頭髪の間から脱落しないようにするために、左右に鋸刃状の凹凸を設けた刀身状の櫛歯を平行に並べることによって髪保持部を形成した装飾用髪止め具も考案されている（特許文献２）。
【０００３】
【特許文献１】特開平９−２９９１３１号公報
【特許文献２】実用新案登録第３１１４６２２号公報
【発明の開示】
【発明が解決しようとする課題】
【０００４】
しかしながら、上記特許文献２の如く、各櫛歯に鋸刃状の凹凸を設けた装飾用髪止め具は、頭髪の間から脱落しにくい半面、各櫛歯に設けられた鋸刃状の凹凸により、各櫛歯を頭髪内に差し込みにくいため（各櫛歯間に頭髪を挿入させにくいため）、装着に手間がかかる、という不具合がある。その上、各櫛歯に設けられた鋸刃状の凹凸により、頭髪が傷み易く、長期間に亘って頭髪に装着された場合には、その傾向がより顕著なものとなってしまう。
【０００５】
本発明の目的は、上記従来の装飾用髪止め具が有する問題点を解消し、頭髪への装着が容易であり、かつ、頭髪の間から脱落しにくい上、長期間に亘って装着された場合でも頭髪を傷めることのない実用的な装飾用髪止め具を提供することにある。
【課題を解決するための手段】
【０００６】
かかる本発明の内、請求項１に記載された発明は、頭髪を纏めた状態で保持するための髪保持体と、髪保持体の基端に固着された装飾部とを有する装飾用髪止め具であって、前記髪保持体が、金属製の針金を所定の間隔で折り曲げ形成してなる複数の髪把持線条を基端側で連結したものであり、隣接する髪把持線条同士の間隔が、基端から先端にかけて次第に幅狭になっていることを特徴とするものである。
【０００７】
請求項２に記載された発明は、請求項１に記載された発明において、各髪把持線条が外側に突出するように円弧状に屈曲しているとともに、外側に位置した髪把持線条の方が、内側に位置した髪把持線条よりも下側に位置していることを特徴とするものである。
【０００８】
請求項３に記載された発明は、請求項１、または請求項２に記載された発明において、髪保持体に偶数本の髪把持線条が設けられており、各髪把持線条の先端が略同一面内において外向きに折り曲げられていることを特徴とするものである。
【０００９】
請求項４に記載された発明は、請求項１〜３のいずれかに記載された発明において、髪保持体が各髪把持線条同士を溶接することによって形成されていることを特徴とするものである。
【発明の効果】
【００１０】
請求項１に記載された装飾用髪止め具は、針金を折り曲げ形成してなる複数の髪把持線条を基端側で連結することによって髪保持体が形成されており、各髪把持線条を頭髪の間にスムーズに差し込むことができるので、非常に装着し易い。また、各髪把持線条が、所定の間隔で折り曲げ形成されているとともに、隣接する髪把持線条同士の間隔が、基端から先端にかけて次第に幅狭になっているため、髪把持線条の間に入り込んだ頭髪が高い拘束力で把持されるので、頭髪の間から脱落しにく上、長期間に亘って頭髪を任意の形状に纏めた状態で保持することができる。さらに、各髪把持線条が、所定の間隔で折り曲げ形成したものであり、鋭利な凹凸を有していないので、長期間に亘って装着された場合でも、頭髪が傷んだりしない。
【００１１】
請求項２に記載された装飾用髪止め具は、各髪把持線条によって凸状の球面が形成されるので、頭髪に装着した場合に良好なフィット感を得ることができる。
【００１２】
請求項３に記載された装飾用髪止め具は、中央に位置した一対の髪把持線条の外向きに開いた先端同士の間から基端側へ非常にスムーズに頭髪が挿入されるので、頭髪への装着がきわめて容易である。その上、各髪把持線条が頭皮に垂直に押し当てられる事態が生じないので、頭髪への装着時に痛みや不快感を感じたりしない。
【００１３】
請求項４に記載された装飾用髪止め具は、髪保持体が各髪把持線条同士を溶接することによって形成されているため、安価かつ容易に製造することができる。
【発明を実施するための最良の形態】
【００１４】
以下、本発明の装飾用髪止め具の一実施形態を、図面にしたがって詳細に説明する。図１、図２は、それぞれ、装飾用髪止め具の正面図、斜視図であり、装飾用髪止め具１は、頭髪を纏めた状態で保持するための髪保持体２と、髪保持体２の基端に固着された装飾部３とによって構成されている。
【００１５】
図３〜図５は、それぞれ、髪保持体２の正面図、左側面図、底面図である。髪保持体２は、中央に位置した一対の髪把持線条４ａ，４ａの基端の外側に、それぞれ、別個の髪把持線条４ｂ，４ｂを溶接することによって形成されており、長さ約１０４ｍｍ×幅約８２ｍｍの大きさを有している。そして、隣接する髪把持線条同士の間隔（一対の髪把持線条４ａ，４ａ同士の間隔、および、髪把持線条４ａと髪把持線条４ｂとの間隔）が、基端から先端にかけて次第に幅狭になっている。また、外側に位置した髪把持線条４ｂ，４ｂの方が、中央に位置した髪把持線条４ａ，４ａよりも下側に位置した状態になっている。さらに、外側に位置した髪把持線条４ｂ，４ｂの基端の方が、中央に位置した髪把持線条４ａ，４ａの基端よりも所定の長さ（約１３ｍｍ）だけ内側に（長手方向における内側に）入り込んだ状態になっており、外側に位置した髪把持線条４ｂ，４ｂの先端の方が、中央に位置した髪把持線条４ａ，４ａの先端よりも所定の長さ（約４ｍｍ）だけ外側に（長手方向における外側に）突出した状態になっている。なお、以下の説明においては、中央に位置した一対の髪把持線条４ａ，４ａを中央髪把持線条といい、それらの中央髪把持線条４ａ，４ａの左右両側に位置した髪把持線条４ｂ，４ｂを側部髪把持線条という。
【００１６】
一対の中央髪把持線条４ａ，４ａは、鉄条をロジウムでメッキしてなる太さが約２．５ｍｍの針金を馬蹄形状に折り曲げることによって形成されている。また、各中央髪把持線条４ａ，４ａは、長手方向に沿った鉛直面においては、外側に突出するように円弧状に屈曲した状態になっている（図４参照）。そして、Ｕ字状に折れ曲がった基端部分を除いた部分が、約１０ｍｍの間隔で、外向き（図３における中心線Ａ−Ａに対して外向き）、内向き、外向き・・・の順に７回に亘って交互に折り曲げられており（谷折りと山折りが連続するようにジグザグに折り曲げられており）、隣り合った折り曲げ部分同士（外向きの折り曲げ部分と内向きの折り曲げ部分）が約１５０度の角度を成した状態になっている（図３参照）。そして、各中央髪把持線条４ａ，４ａに、それぞれ、外向きに凸状の３つの第一髪係止屈曲部７，７・・が形成された状態になっている。また、各中央髪把持線条４ａ，４ａの最先端の部分は、互いに外向きに折り曲げられた状態になっている。
【００１７】
また、一対の中央髪把持線条４ａ，４ａの外側に位置した左右の側部髪把持線条４ｂ，４ｂは、一対の中央髪把持線条４ａ，４ａと同一の針金を折り曲げることによって形成されている。そして、基端部分が水平面内において内向きの円弧状に屈曲した状態になっている。また、全体（基端から先端まで）が、長手方向に沿った鉛直面において外側に突出するように円弧状に屈曲した状態になっている（図４参照）。そして、円弧状に折れ曲がった基端部分を除いた部分が、一対の中央髪把持線条４ａ，４ａと同様に、約１０ｍｍの間隔で、外向き、内向き、外向きの順に７回に亘って交互に折り曲げられており、隣り合った折り曲げ部分同士が約１５０度の角度を成した状態になっている（図３参照）。そして、各側部髪把持線条４ｂ，４ｂに、それぞれ、外向きに凸状の３つの第二髪係止屈曲部８，８・・が形成された状態になっている。また、各側部髪把持線条４ｂ，４ｂの最先端の部分は、各中央髪把持線条４ａ，４ａと同様に、互いに外向きに折り曲げられた状態になっている。
【００１８】
上記した髪保持体２においては、中央髪把持線条４ａ，４ａおよび側部髪把持線条４ｂ，４ｂの形状が、長手方向の中心線（図３におけるＡ−Ａ線）に対して、左右上下とも対称になっている。また、一対の中央髪把持線条４ａ，４ａおよび側部髪把持線条４ｂ，４ｂが、鉛直面において外側に突出するように円弧状に屈曲しているとともに、側部髪把持線条４ｂ，４ｂの方が中央髪把持線条４ａ，４ａよりも下側に位置していることによって、一対の中央髪把持線条４ａ，４ａおよび側部髪把持線条４ｂ，４ｂが単一な球面（図４、図５におけるＳ）を形成した状態になっている。加えて、中央髪把持線条４ａ，４ａおよび側部髪把持線条４ｂ，４ｂの表面側（凸状に形成されている側）には、マット加工（表面を粗くする加工）が施されており、ロジウムメッキが部分的に剥離した状態になっている（したがって、そのロジウムメッキが剥離した部分は、他の部分と異なる金属色を呈した状態になっている）。
【００１９】
一方、装飾部３は、複数の装飾体（ガラス等によって形成された模造宝石等）５，５・・と、それらの装飾体５，５・・を支持するための支持台６とによって構成されている。支持台６は、中央髪把持線条４ａ，４ａや側部髪把持線条４ｂ，４ｂと同様に、鉄によって形成されており、表面がロジウムによってメッキされている。それゆえ、中央髪把持線条４ａ，４ａや側部髪把持線条４ｂ，４ｂと同色になっている。また、支持台６の表面には、装飾体５，５・・を接着するための平坦部分（図示せず）が多数形成されており、それらの平坦部分に装飾体５，５・・が接着された状態になっている。そして、そのように装飾体５，５・・を鏤めた支持台６は、裏側の部分が中央髪把持線条４ａ，４ａおよび側部髪把持線条４ｂ，４ｂの基端の表面側（凸状に形成されている側）の円弧状に屈曲した部分に溶接されることによって、髪保持体２と一体になっている。
【００２０】
上記の如く構成された装飾用髪止め具１の使用態様の一例について説明する。たとえば、後部の頭髪を上方に巻き上げた所謂「夜会巻き」状態で保持したい場合には、まず、頭髪を一つに束ね、その束ねた頭髪を回転させながら根元から毛先に至るまで十分に捻り上げる。さらに、装飾用髪止め具１を裏返しに把持して、中央髪把持線条４ａ，４ａおよび側部髪把持線条４ｂ，４ｂを、捻り上げた頭髪内に、毛先側から側根元側まで十分に差し込む。しかる後、中央髪把持線条４ａ，４ａおよび側部髪把持線条４ｂ，４ｂの先端位置をできるだけずらさないようにしながら装飾部３を持ち上げるようにして、装飾用髪止め具１を表向きにひっくり返す。そして、最後に、中央髪把持線条４ａ，４ａおよび側部髪把持線条４ｂ，４ｂを、再度、捻り上げた頭髪内に、毛先側から側根元側まで十分に差し込むことによって装飾用髪止め具１の頭髪への装着を完了する。そのように中央髪把持線条４ａ，４ａおよび側部髪把持線条４ｂ，４ｂが頭髪内に差し込まれると、一対の中央髪把持線条４ａ，４ａの間や中央髪把持線条４ａと側部髪把持線条４ｂとの間に入り込んだ頭髪が適度な拘束力で把持されて、後部の頭髪が上方に巻き上げられた「夜会巻き」状態で強固に保持される。
【００２１】
装飾用髪止め具１は、上記の如く、金属製の針金を所定の間隔で折り曲げ形成してなる中央髪把持線条４ａ，４ａおよび側部髪把持線条４ｂ，４ｂを基端側で連結することによって髪保持体２が形成されており、一対の髪把持線条４ａ，４ａ同士の間隔、および、髪把持線条４ａと髪把持線条４ｂとの間隔が、基端から先端にかけて次第に幅狭になっている。したがって、中央髪把持線条４ａ，４ａおよび側部髪把持線条４ｂ，４ｂを頭髪の間にスムーズに差し込むことができるので、非常に装着し易い。また、一対の中央髪把持線条４ａ，４ａの間や中央髪把持線条４ａと側部髪把持線条４ｂとの間に入り込んだ頭髪が高い拘束力で把持されるため、頭髪の間から脱落しにくく、長期間に亘って頭髪を任意の形状に纏めた状態で保持することができる。さらに、髪保持体２に鋭利な凹凸が形成されていないので、長期間に亘って装着された場合でも、頭髪が傷んだりしない。
【００２２】
また、装飾用髪止め具１は、中央髪把持線条４ａ，４ａおよび側部髪把持線条４ｂ，４ｂが外側に突出するように円弧状に屈曲しているとともに、外側に位置した側部髪把持線条４ｂ，４ｂの方が、内側に位置した中央髪把持線条４ａ，４ａよりも下側に位置しており、中央髪把持線条４ａ，４ａおよび側部髪把持線条４ｂ，４ｂによって単一な凸状の球面（図４、図５におけるＳ）が形成されているので、頭髪に装着した場合に良好なフィット感を得ることができる。
【００２３】
さらに、装飾用髪止め具１は、中央髪把持線条４ａ，４ａおよび側部髪把持線条４ｂ，４ｂの先端がいずれも略同一面内において外向きに折り曲げられているため、一対の中央髪把持線条４ａ，４ａの先端同士の間から基端側へ非常にスムーズに頭髪が挿入されるので、頭髪への装着がきわめて容易である。その上、中央髪把持線条４ａ，４ａおよび側部髪把持線条４ｂ，４ｂが頭皮に垂直に押し当てられる事態が生じないので、頭髪への装着時に痛みや不快感を感じたりしない。
【００２４】
加えて、装飾用髪止め具１は、髪保持体２が中央髪把持線条４ａ，４ａと側部髪把持線条４ｂ，４ｂとを溶接することによって形成されているため、安価かつ容易に製造することができる。
【００２５】
また、装飾用髪止め具１は、各中央髪把持線条４ａ，４ａに、外向きに凸状の第一髪係止屈曲部７，７・・が形成されているとともに、各側部髪把持線条４ｂ，４ｂに、外向きに凸状の第二髪係止屈曲部８，８・・が形成されており、それらの第一髪係止屈曲部７，７・・および第二髪係止屈曲部８，８・・によって、一対の中央髪把持線条４ａ，４ａの間や中央髪把持線条４ａと側部髪把持線条４ｂとの間に入り込んだ頭髪が強固に把持されるため、頭髪の間から脱落する事態が高い精度で防止され、きわめて長期間に亘って頭髪を任意の形状に纏めた状態で保持することができる。
【００２６】
なお、本発明の装飾用髪止め具の構成は、上記した実施の形態に何ら限定されるものではなく、髪保持体や装飾部の材質、形状、構造等の構成を、本発明の趣旨を逸脱しない範囲内で適宜変更することができる。
【００２７】
たとえば、本発明の装飾用髪止め具は、上記実施形態の如く、４本の髪把持線条を有するものに限定されず、３本以下あるいは５本以上の髪把持線条を有するものに変更することも可能である。また、各髪把持線条や支持台の材質は、鉄に限定されず、チタン、銅、アルミニウムやステンレス等の別の金属に変更することも可能である。加えて、表面にメッキする金属も、ロジウムに限定されず、ニッケルや銅等に変更することが可能である。なお、上記実施形態の如く、各髪把持線条や支持台を、表面をロジウムメッキした鉄によって形成した場合には、金属アレルギーの使用者が使用してもアレルギー反応が出にくい、というメリットがある。
【００２８】
また、各髪把持線条を形成する針金の径は、各髪把持線条の材質等に応じて適宜変更することができ、場合によっては、所定の位置の髪把持線条の径を他の髪把持線条の径と異ならせる（たとえば、中央髪把持線条の径を側部髪把持線条の径よりも大きくしたり小さくしたりする）ことも可能である。
【００２９】
また、中央髪把持線条および側部髪把持線条の先端側に形成するジグザグな折り曲げのピッチは、上記実施形態の如き１０ｍｍピッチに限定されず、必要に応じて適宜変更することが可能である。さらに、折り曲げの個数は、上記実施形態の如き７個に限定されず、適宜変更することが可能である。加えて、折り曲げ度合いも、上記実施形態の如く、隣り合った折り曲げ部分同士が約１５０度を成すような態様に限定されず、隣り合った折り曲げ部分同士が１２０度以上１６０度以下の角度を成す範囲内で、必要に応じて適宜変更することができる。なお、上記実施形態の如く、中央髪把持線条および側部髪把持線条の折り曲げのピッチを約１０ｍｍ間隔とし、折り曲げの個数を７個とするとともに、隣り合った折り曲げ部分同士が１２０度以上１６０度以下の角度を成すように折り曲げた場合には、一対の中央髪把持線条の間や中央髪把持線条と側部髪把持線条との間に入り込んだ頭髪の拘束力が高すぎたり低すぎたりせず、非常にバランスの良いものとなり、装飾用髪止め具の使用感がきわめて良好なものとなる、というメリットがある。
【００３０】
加えて、装飾部は、支持台に模造宝石を鏤めたものに限定されず、本物の宝石を取り付けたものや、造花等を取り付けたもの等に変更することも可能である。加えて、装飾部の形状は、必要に応じて適宜変更することができる。
【産業上の利用可能性】
【００３１】
本発明の装飾用髪止め具は、上記の如く優れた機能を奏するものであるので、頭髪の装飾目的を兼ねた髪止め部材として好適に用いることができる。
【図面の簡単な説明】
【００３２】
【図１】装飾用髪止め具の正面図である。
【図２】装飾用髪止め具の斜視図である。
【図３】髪保持体の正面図である。
【図４】髪保持体の左側面図である。
【図５】髪保持体の底面図である。
【符号の説明】
【００３３】
１・・装飾用髪止め具、２・・髪保持体、３・・装飾部、４ａ・・中央髪把持線条、４ｂ・・側部髪把持線条。
【図１】
2008048832.tif 000003
【図２】
2008048832.tif 000004
【図３】
2008048832.tif 000005
【図４】
2008048832.tif 000006
【図５】
2008048832.tif 000007
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
頭髪を纏めた状態で保持するための髪保持体と、髪保持体の基端に固着された装飾部とを有する装飾用髪止め具であって、
前記髪保持体が、針金を馬蹄形状に折り曲げ形成してなる一対の中央髪把持線条の基端の左右の外側に、それぞれ、針金の基端部分を水平面内において内向きの円弧状に屈曲させてなる側部髪把持線条を連結したものであり、
前記中央髪把持線条および前記側部髪把持線条の先端側の部分が、所定の間隔で、長手方向に沿った中心線に対して外向き、内向き、外向きの順に交互に折り曲げられているとともに、
前記中央髪把持線条および前記側部髪把持線条の形状が、基端から先端に至る中心線に対して左右対称になっており、かつ、
中央髪把持線条同士の間隔、および、中央髪把持線条と側部髪把持線条との間隔が、基端から先端にかけて次第に幅狭になっていることを特徴とする装飾用髪止め具。
【請求項２】
中央髪把持線条および側部髪把持線条が、長手方向に沿った鉛直面における外側に突出するように円弧状に屈曲しているとともに、側部髪把持線条の方が、中央髪把持線条よりも下側に位置していることを特徴とする請求項１に記載の装飾用髪止め具。
【請求項３】
中央髪把持線条および側部髪把持線条の先端が略同一面内において外向きに折り曲げられていることを特徴とする請求項１、または請求項２に記載の装飾用髪止め具。
【請求項４】
髪保持体が中央髪把持線条と側部髪把持線条とを溶接することによって形成されていることを特徴とする請求項１〜３のいずれかに記載の装飾用髪止め具。
【手続補正２】
【補正対象書類名】明細書
【補正対象項目名】０００６
【補正方法】変更
【補正の内容】
【０００６】
かかる本発明の内、請求項１に記載された発明は、頭髪を纏めた状態で保持するための髪保持体と、髪保持体の基端に固着された装飾部とを有する装飾用髪止め具であって、前記髪保持体が、針金を馬蹄形状に折り曲げ形成してなる一対の中央髪把持線条の基端の左右の外側に、それぞれ、針金の基端部分を水平面内において内向きの円弧状に屈曲させてなる側部髪把持線条を連結したものであり、前記中央髪把持線条および前記側部髪把持線条の先端側の部分が、所定の間隔で、基端から先端に至る中心線に対して外向き、内向き、外向きの順に交互に折り曲げられているとともに、前記中央髪把持線条および前記側部髪把持線条の形状が、基端から先端に至る中心線に対して左右対称になっており、かつ、中央髪把持線条同士の間隔、および、中央髪把持線条と側部髪把持線条との間隔が、基端から先端にかけて次第に幅狭になっていることを特徴とするものである。
【手続補正３】
【補正対象書類名】明細書
【補正対象項目名】０００７
【補正方法】変更
【補正の内容】
【０００７】
請求項２に記載された発明は、請求項１に記載された発明において、中央髪把持線条および側部髪把持線条が、長手方向に沿った鉛直面における外側に突出するように円弧状に屈曲しているとともに、側部髪把持線条の方が、中央髪把持線条よりも下側に位置していることを特徴とするものである。
【手続補正４】
【補正対象書類名】明細書
【補正対象項目名】０００８
【補正方法】変更
【補正の内容】
【０００８】
請求項３に記載された発明は、請求項１、または請求項２に記載された発明において、中央髪把持線条および側部髪把持線条の先端が略同一面内において外向きに折り曲げられていることを特徴とするものである。
【手続補正５】
【補正対象書類名】明細書
【補正対象項目名】０００９
【補正方法】変更
【補正の内容】
【０００９】
請求項４に記載された発明は、請求項１〜３のいずれかに記載された発明において、髪保持体が中央髪把持線条と側部髪把持線条とを溶接することによって形成されていることを特徴とするものである。
【手続補正６】
【補正対象書類名】明細書
【補正対象項目名】００１０
【補正方法】変更
【補正の内容】
【００１０】
請求項１に記載された装飾用髪止め具は、針金を馬蹄形状に折り曲げ形成してなる一対の中央髪把持線条の基端の左右の外側に、それぞれ、針金の基端部分を水平面内において内向きの円弧状に屈曲させてなる側部髪把持線条を連結したものであり、中央髪把持線条および側部髪把持線条を頭髪の間にスムーズに差し込むことができるので、非常に装着し易い。また、中央髪把持線条および側部髪把持線条の先端側の部分が、所定の間隔で、基端から先端に至る中心線に対して外向き、内向き、外向きの順に交互に折り曲げられているとともに、中央髪把持線条および側部髪把持線条の形状が、基端から先端に至る中心線に対して左右対称になっており、かつ、中央髪把持線条同士の間隔、および、中央髪把持線条と側部髪把持線条との間隔が、基端から先端にかけて次第に幅狭になっているため、髪把持線条の間に入り込んだ頭髪が高い拘束力で把持されるので、頭髪の間から脱落しにく上、長期間に亘って頭髪を任意の形状に纏めた状態で保持することができる。さらに、各髪把持線条が、所定の間隔で折り曲げ形成したものであり、鋭利な凹凸を有していないので、長期間に亘って装着された場合でも、頭髪が傷んだりしない。
【手続補正７】
【補正対象書類名】明細書
【補正対象項目名】００１１
【補正方法】変更
【補正の内容】
【００１１】
請求項２に記載された装飾用髪止め具は、中央髪把持線条および側部髪把持線条によって凸状の球面が形成されるので、頭髪に装着した場合に良好なフィット感を得ることができる。
【手続補正８】
【補正対象書類名】明細書
【補正対象項目名】００１２
【補正方法】変更
【補正の内容】
【００１２】
請求項３に記載された装飾用髪止め具は、中央に位置した一対の中央髪把持線条の外向きに開いた先端同士の間から基端側へ非常にスムーズに頭髪が挿入されるので、頭髪への装着がきわめて容易である。その上、中央髪把持線条および側部髪把持線条が頭皮に垂直に押し当てられる事態が生じないので、頭髪への装着時に痛みや不快感を感じたりしない。
【手続補正９】
【補正対象書類名】明細書
【補正対象項目名】００１３
【補正方法】変更
【補正の内容】
【００１３】
請求項４に記載された装飾用髪止め具は、髪保持体が中央髪把持線条と側部髪把持線条とを溶接することによって形成されているため、安価かつ容易に製造することができる。
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
頭髪を纏めた状態で保持するための髪保持体と、髪保持体の基端に固着された装飾部とを有する装飾用髪止め具であって、
前記髪保持体が、針金を馬蹄形状に折り曲げ形成してなる一対の中央髪把持線条の基端の左右の外側に、それぞれ、針金の基端部分を水平面内において内向きの円弧状に屈曲させてなる側部髪把持線条を連結したものであり、
前記中央髪把持線条および前記側部髪把持線条の先端側の部分が、所定の間隔で、長手方向に沿った中心線に対して外向き、内向き、外向きの順に交互に折り曲げられているとともに、
前記中央髪把持線条および前記側部髪把持線条の形状が、基端から先端に至る中心線に対して左右対称になっており、かつ、
中央髪把持線条同士の間隔、および、中央髪把持線条と側部髪把持線条との間隔が、基端から先端にかけて次第に幅狭になっており、なおかつ、
中央髪把持線条および側部髪把持線条の先端が略同一面内において外向きに折り曲げられていることを特徴とする装飾用髪止め具。
【請求項２】
髪保持体が中央髪把持線条と側部髪把持線条とを溶接することによって形成されていることを特徴とする請求項１に記載の装飾用髪止め具。
【手続補正２】
【補正対象書類名】明細書
【補正対象項目名】０００６
【補正方法】変更
【補正の内容】
【０００６】
かかる本発明の内、請求項１に記載された発明は、頭髪を纏めた状態で保持するための髪保持体と、髪保持体の基端に固着された装飾部とを有する装飾用髪止め具であって、前記髪保持体が、針金を馬蹄形状に折り曲げ形成してなる一対の中央髪把持線条の基端の左右の外側に、それぞれ、針金の基端部分を水平面内において内向きの円弧状に屈曲させてなる側部髪把持線条を連結したものであり、前記中央髪把持線条および前記側部髪把持線条の先端側の部分が、所定の間隔で、長手方向に沿った中心線に対して外向き、内向き、外向きの順に交互に折り曲げられているとともに、前記中央髪把持線条および前記側部髪把持線条の形状が、基端から先端に至る中心線に対して左右対称になっており、かつ、中央髪把持線条同士の間隔、および、中央髪把持線条と側部髪把持線条との間隔が、基端から先端にかけて次第に幅狭になっており、なおかつ、中央髪把持線条および側部髪把持線条の先端が略同一面内において外向きに折り曲げられていることを特徴とするものである。
【手続補正３】
【補正対象書類名】明細書
【補正対象項目名】０００７
【補正方法】変更
【補正の内容】
【０００７】
請求項２に記載された発明は、請求項１に記載された発明において、髪保持体が中央髪把持線条と側部髪把持線条とを溶接することによって形成されていることを特徴とするものである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項１に記載された装飾用髪止め具は、針金を馬蹄形状に折り曲げ形成してなる一対の中央髪把持線条の基端の左右の外側に、それぞれ、針金の基端部分を水平面内において内向きの円弧状に屈曲させてなる側部髪把持線条を連結したものであり、中央髪把持線条および側部髪把持線条を頭髪の間にスムーズに差し込むことができるので、非常に装着し易い。また、中央髪把持線条および側部髪把持線条の先端側の部分が、所定の間隔で、基端から先端に至る中心線に対して外向き、内向き、外向きの順に交互に折り曲げられているとともに、中央髪把持線条および側部髪把持線条の形状が、基端から先端に至る中心線に対して左右対称になっており、かつ、中央髪把持線条同士の間隔、および、中央髪把持線条と側部髪把持線条との間隔が、基端から先端にかけて次第に幅狭になっているため、髪把持線条の間に入り込んだ頭髪が高い拘束力で把持されるので、頭髪の間から脱落しにく上、長期間に亘って頭髪を任意の形状に纏めた状態で保持することができる。さらに、各髪把持線条が、所定の間隔で折り曲げ形成したものであり、鋭利な凹凸を有していないので、長期間に亘って装着された場合でも、頭髪が傷んだりしない。加えて、請求項１に記載された装飾用髪止め具は、中央に位置した一対の中央髪把持線条の外向きに開いた先端同士の間から基端側へ非常にスムーズに頭髪が挿入されるので、頭髪への装着がきわめて容易である。その上、中央髪把持線条および側部髪把持線条が頭皮に垂直に押し当てられる事態が生じないので、頭髪への装着時に痛みや不快感を感じたりしない。
【手続補正７】
【補正対象書類名】明細書
【補正対象項目名】００１１
【補正方法】変更
【補正の内容】
【００１１】
また、中央髪把持線条および側部髪把持線条が、長手方向に沿った鉛直面における外側に突出するように円弧状に屈曲しているとともに、側部髪把持線条の方が、中央髪把持線条よりも下側に位置しているように構成した場合には、中央髪把持線条および側部髪把持線条によって凸状の球面が形成されるので、頭髪に装着した場合に良好なフィット感を得ることができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項２に記載された装飾用髪止め具は、髪保持体が中央髪把持線条と側部髪把持線条とを溶接することによって形成されているため、安価かつ容易に製造することができる。